(57)【要約】【課題】  便座を開ける操作だけで尿飛散防止状態となって洋式便器周りの尿汚染を防止できる洋式便器用尿飛散防止具の提供。【解決手段】  便座４を後方へ跳ね上げた状態で該便座４と便器本体３の左右両側面に形成される略扇状の開口部を、洋式便器の外側から閉塞可能な広さを有する左右一対の略扇状パネル１、１を備え、該両略扇状パネル１、１は、その便座４側の略直線部１ａ内面に沿って便座４の円弧状左右両側面にそれぞれ着脱自在に取り付け可能な両面テープ２を備え、略扇状パネル１、１は、跳ね上げた便座４を便器本体３上に下ろしてセットする際に略扇状パネル１、１における便器本体３側の略直線部１ａが便器本体３におけるリム部３１の円弧状左右両側面にそれぞれ沿って回動下降可能な広さを有する。【選択図】      図４
2012001925.tif 000002
【特許請求の範囲】
【請求項１】
便器本体の上部に後方へ跳ね上げ可能な便座を備えた洋式便器に取り付けて使用される洋式便器用尿飛散防止具であって、
前記便座を後方へ跳ね上げた状態で該便座と便器本体の左右両側面に形成される略扇状の開口部を、洋式便器の外側から閉塞可能な広さを有する左右一対の略扇状パネルを備え、
該両略扇状パネルは、その便座側の略直線部内面に沿って便座の円弧状左右両側面にそれぞれ着脱自在に取り付け可能な第１取付手段を備え、
前記略扇状パネルは、跳ね上げた便座を便器本体上に下ろしてセットする際に略扇状パネルにおける便器本体側の略直線部が便器本体におけるリム部の円弧状左右両側面にそれぞれ沿って回動下降可能な広さを有することを特徴とする洋式便器用尿飛散防止具。
【請求項２】
請求項１に記載の洋式便器用尿飛散防止具において、
前記両略扇状パネルの少なくとも内面側に吸水性シートを備えていることを特徴とする洋式便器用尿飛散防止具。
【請求項３】
請求項１又は２に記載の洋式便器用尿飛散防止具において、
前記両略扇状パネルの便器本体側の略直線部内面側に吸水素材よりなるテープを有することを特徴とする洋式便器用尿飛散防止具。
【請求項４】
請求項１〜３のいずれか１項に記載の洋式便器用尿飛散防止具において、
前記第１取付手段が両面テープであることを特徴とする洋式便器用尿飛散防止具。
【請求項５】
請求項１〜４のいずれか1項に記載の洋式便器用尿飛散防止具において、
前記略扇状パネルとは別部材で、上縁部側を便器本体のリム部上面より所定長さ立ち上げさせた状態で下縁部側をリム部外周面に対して着脱自在に取り付け可能な第２取付手段を有し、跳ね上げた便座を便器本体上に下ろしてセットする際に両略扇状パネルの内面側にそれぞれ付着した尿のしずくを便器本体内側に剥ぎ落とす補助パネルを備えていることを特徴とする洋式便器用尿飛散防止具。
【請求項６】
請求項５に記載の洋式便器用尿飛散防止具において、
前記第１取付手段が両面テープであることを特徴とする洋式便器用尿飛散防止具。
【発明の詳細な説明】
【技術分野】
【０００１】
本発明は、洋式便器に備え付けて使用される洋式便器用尿飛散防止具に関する。
【背景技術】
【０００２】
従来、洋式便器用尿飛散防止具としては、排尿力の弱い老人等が洋式便器周りを尿で汚すことなく清潔に立ち小便できる立ち小便用汚染防止具の提供を目的とし、図１１に示すように、防止具の主体（０１）を水溶質材とし、該上部にペニス体に装着する縁付きの装着口（０２）を設け、主体（０１）の適部より絞って下端に排尿口（０３）を設け、該排尿通路を遅水溶固定材で強化した構造のものが開示されている（特許文献１参照）。
この従来技術によれば、飛散する尿を排尿口（０３）で一本筋にまとめて放出し、排尿後における尿しずく振り飛ばしも不要となり、これにより、洋式便器周りの汚染を防止できるという効果がある。
【先行技術文献】
【特許文献】
【０００３】
【特許文献１】特開２００７−２３１７１５号公報
【発明の概要】
【発明が解決しようとする課題】
【０００４】
しかしながら、従来例の立ち小便用汚染防止具にあっては、排尿の度にこの小便用汚染防止具を使用するのは極めて面倒であり、また使用後は水洗で流す１回のみの使い捨て商品であるため、コストが高く付くという問題がある。
【０００５】
本発明の解決しようとする課題は、便座を開ける操作だけで尿飛散防止状態となって洋式便器周りの尿汚染を防止できる洋式便器用尿飛散防止具を提供することにある。
【課題を解決するための手段】
【０００６】
上記課題を解決するため請求項１記載の発明は、便器本体の上部に後方へ跳ね上げ可能な便座を備えた洋式便器に取り付けて使用される洋式便器用尿飛散防止具であって、
前記便座を後方へ跳ね上げた状態で該便座と便器本体の左右両側面に形成される略扇状の開口部を、洋式便器の外側から閉塞可能な広さを有する左右一対の略扇状パネルを備え、
該両略扇状パネルは、その便座側の略直線部内面に沿って便座の円弧状左右両側面の基部側にそれぞれ着脱自在に取り付け可能な取付手段を備え、
前記略扇状パネルは、跳ね上げた便座を便器本体上に下ろしてセットする際に略扇状パネルにおける便器本体側の略直線部が便器本体におけるリム部の円弧状左右両側面にそれぞれ沿って回動下降可能な広さを有することを特徴とする手段とした。
【０００７】
また、請求項２記載の発明は、請求項１に記載の洋式便器用尿飛散防止具において、前記両略扇状パネルの少なくとも内面側に吸水性シートを備えていることを特徴とする手段とした。
【０００８】
また、請求項３記載の発明は、請求項１または２に記載の洋式便器用尿飛散防止具において、前記両略扇状パネルの便器本体側の略直線部内面側に吸水素材よりなるテープを有することを特徴とする手段とした。
【０００９】
また、請求項４記載の発明は、請求項１〜３のいずれか１項に記載の洋式便器用尿飛散防止具において、前記第１取付手段が両面テープであることを特徴とする手段とした。
【００１０】
また、請求項５記載の発明は、請求項１〜４のいずれか1項に記載の洋式便器用尿飛散防止具において、前記略扇状パネルとは別部材で、上縁部側を便器本体のリム部上面より所定長さ立ち上げさせた状態で下縁部側をリム部外周面に対して着脱自在に取り付け可能な第２取付手段を有し、跳ね上げた便座を便器本体上に下ろしてセットする際に両略扇状パネルの内面側にそれぞれ付着した尿のしずくを便器本体内側に剥ぎ落とす補助パネルを備えていることを特徴とする手段とした。
【００１１】
また、請求項６記載の発明は、請求項５に記載の洋式便器用尿飛散防止具において、前記第１取付手段が両面テープであることを特徴とする手段とした。
【発明の効果】
【００１２】
請求項１記載の発明では、上述のように、便座を後方へ跳ね上げた状態で該便座と便器本体の左右両側面に形成される略扇状の開口部を、洋式便器の外側から閉塞可能な広さを有する左右一対の略扇状パネルを備え、該両略扇状パネルは、その便座側の略直線部内面に沿って便座の円弧状左右両側面の基部側にそれぞれ着脱自在に取り付け可能な取付手段を備え、略扇状パネルは、跳ね上げた便座を便器本体上に下ろしてセットする際に略扇状パネルにおける便器本体側の略直線部が便器本体におけるリム部の円弧状左右両側面にそれぞれ沿って回動下降可能な広さを有することを特徴とする手段としたため、便座を後方へ跳ね上げると、両略扇状パネルが便座と便器本体の左右両側面に形成される略扇状の開口部を洋式便器の外側から閉塞した状態になる。
これにより、小用のため便座を開ける操作だけで尿飛散防止状態となって洋式便器周りの尿汚染を防止できるようになるという効果が得られる。
【００１３】
請求項２記載の発明では、上述のように、前記両略扇状パネルの少なくとも内面側に吸水性シートを備えることで、両略扇状パネルの内側に飛散付着した尿を吸水性シートが直ちに吸収するため、床面への落下を防止することができる。
【００１４】
請求項３記載の発明では、上述のように、両略扇状パネルの便器本体側の略直線部内面側に吸水素材よりなるテープを有することで、両略扇状パネルの内側に飛散付着した尿を下端部に位置するテープで受け止めて吸収するため、床面への落下を防止することができる。
【００１５】
請求項４記載の発明では、上述のように、第１取付手段を両面テープにすることで、両面テープから剥離紙を剥ぎ取ることで便座への取り付けが簡単に行えるようになる。
【００１６】
請求項５記載の発明では、上述のように、略扇状パネルとは別部材で、上縁部側を便器本体のリム部上面より所定長さ立ち上げさせた状態で下縁部側をリム部外周面に対して着脱自在に取り付け可能な第２取付手段を有し、跳ね上げた便座を便器本体上に下ろしてセットする際に両略扇状パネルの内面側にそれぞれ付着した尿のしずくを便器本体内側に剥ぎ落とす補助パネルを備えることで、便座を下ろす際に両略扇状パネルの内側に飛散付着した尿を補助パネルで便器本体内側に剥ぎ落とすことができ、これにより、床面への落下を防止することができる。
【００１７】
請求項６記載の発明では、上述のように、第２取付手段を両面テープにすることで、両面テープから剥離紙をはぎ取ることでリム部への取り付けが簡単に行えるようになると共に、洋式便器の種類に応じてリム部上面からの第２取付手段の上縁部側の立ち上げ高さを任意に設定できるようになる。
【図面の簡単な説明】
【００１８】
【図１】本発明実施例１の洋式便器用尿飛散防止具を示す展開図である。
【図２】図２のＳ２−Ｓ２線における拡大断面図である。
【図３】本発明実施例１の洋式便器用尿飛散防止具の使用状態を示す斜視図である。
【図４】本発明実施例１の洋式便器用尿飛散防止具の使用状態を示す側面図である。
【図５】本発明実施例１の洋式便器用尿飛散防止具の便座及び蓋体を下ろした状態を示す側面図である。
【図６】本発明実施例２の洋式便器用尿飛散防止具を示す展開図である。
【図７】本発明実施例２の洋式便器用尿飛散防止具の使用状態を示す側面図である。
【図８】本発明実施例３の洋式便器用尿飛散防止具を示す展開図である。
【図９】図８のＳ９−Ｓ９線における拡大断面図である。
【図１０】本発明実施例３の洋式便器用尿飛散防止具の使用状態を示す斜視図である。
【図１１】従来例を示す説明図である。
【発明を実施するための形態】
【００１９】
以下にこの発明の実施例を図面に基づいて説明する。
【実施例１】
【００２０】
まず、この実施例１の洋式便器用尿飛散防止具を図面に基づいて説明する。
この洋式便器用尿飛散防止具は、図１に示すように、左右一対の略扇状パネル１、１と、両面テープ２と、を備えている。なお、図２〜４において、３は洋式の便器本体、４は便器本体３に対し後方へ跳ね上げ可能な便座、５は便器本３及び便座４に対し後方へ跳ね上げ可能な蓋体である。
【００２１】
さらに詳述すると、上記略扇状パネル１、１は、図２に示すように、便座４を後方へ跳ね上げた状態で該便座４と便器本体３の左右両側面に形成される略扇状の開口部を、洋式便器の外側から閉塞可能な広さ、即ち、図３に示すように後方へ跳ね上げた便座４を、図４に示すように便器本体３上に下ろしてセットする際に略扇状パネル１、１における便器本体３側の略直線部１ｂが便器本体３におけるリム部３１の円弧状左右両側面にそれぞれ沿って回動下降可能な広さを有する略扇状に形成されたパネルである。
【００２２】
この略扇状パネル１、１は、図２の拡大断面図に示すように、外側面はある程度腰のある紙又は樹脂シート１１で構成される一方、内側面は吸水性を有する紙シート（吸収性シート）１２で構成されている。
なお、この紙シート１２を樹脂シート１１に対し交換可能な構成、例えば、紙シート１２の数箇所に樹脂シート１１の内面側に粘着可能な両面テープを備えておくようにしてもよい。
【００２３】
また、上記両面テープ２は、略扇状パネル１、１を便座４の円弧状左右両側面にそれぞれ着脱自在に取り付けるための第１取付手段を構成するもので、図４に示すように、略扇状パネル１、１における便座４側の略直線部１ａの内面に沿って粘着されている。
【００２４】
次に、この実施例１の作用・効果を説明する。
この実施例１の洋式便器用尿飛散防止具は上述のように構成されるため、図５  に示すように、便座４を便器本体３上にセットした状態で、左右一対の略扇状パネル１、１の便座４側の略直線部１ａに備えた両面テープ２から剥離紙２ａを剥ぎ取り、両面テープ２を便座４の左右各両側面に沿って粘着させることにより、便座４に対する洋式便器用尿飛散防止具の取付を完了する。
【００２５】
そこで、小用の際には、便座４を後方へ跳ね上げると、図３、４に示すように、両略扇状パネル１、１が便座４と便器本体３の左右両側面に形成される略扇状の開口部を洋式便器の外側から閉塞した状態になる。
これにより、小用のため便座４を開ける操作だけで尿飛散防止状態となって洋式便器周りの尿汚染を防止できるようになるという効果が得られる。
【００２６】
また、図２に示すように、略扇状パネル１、１の内側面は吸水性を有する紙シート１２で構成されていて、両略扇状パネル１、１の内側に飛散付着した尿を紙シート１２が直ちに吸収するため、床面への落下を防止することができる。
また、略扇状パネル１、１の外側面はある程度腰のある紙又は樹脂シート１１で構成されることで、紙シート１２を補強し、型くずれを防止することができる。
【００２７】
また、略扇状パネル１、１を便座４の円弧状左右両側面にそれぞれ着脱自在に取り付けるための第１取付手段として両面テープ２を用いることで、両面テープ２から剥離紙２ａを剥ぎ取る操作だけで便座への取り付けが簡単に行えるようになる。
【００２８】
なお、この紙シート１２を樹脂シート１１に対し交換可能な構成、例えば、紙シート１２の数箇所に両面テープを備えておけば、この紙シート１２のみを新しいものと交換することにより、略扇状パネル１、１の内面側を常に清潔に保つことができる。
【００２９】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００３０】
この実施例２は、実施例１における洋式便器用尿飛散防止具の変形例を示すものであり、図６、７に示すように、両略扇状パネル１、１の便器本体３側の略直線部１ｂ内面側に紙等の吸水素材よりなるテープ６を有する点が、上記実施例１とは相違したものである。
【００３１】
従って、この実施例２では、実施例１と同様の効果が得られる他、両略扇状パネル１、１の内側に飛散付着した尿が下方へ垂れた場合でも、この尿をテープ６で受け止めて吸収するため、床面への落下を防止することができる。
この場合、実施例１における紙シート１２を省略することも可能であるが、併用することが望ましい。
【実施例３】
【００３２】
この実施例３は、実施例１における洋式便器用尿飛散防止具の変形例を示すものであり、図８〜１０に示すように、略扇状パネル１、１とは別部材で、上縁部側を便器本体３のリム部３１上面より所定長さ立ち上げさせた状態で下縁部側をリム部３１外周面に対して着脱自在に取り付け可能な両面テープ（第２取付手段）８を有し、跳ね上げた便座４を便器本体３上に下ろしてセットする際に両略扇状パネル１、１の内面側にそれぞれ付着した尿のしずくを便器本体３内側に剥ぎ落とす補助パネル７を備えている点が、上記実施例１、２とは相違したものである。
【００３３】
この実施例３では、上述のように構成されるため、小用をすませた後、便座４を下ろす際に両略扇状パネル１、１の内側に飛散付着した尿を補助パネル７で便器本体３内側に剥ぎ落とすことができ、これにより、床面への落下を防止することができる。
この場合、実施例１における紙シート１２及び又は実施例２におけるテープ６を省略することも可能であるが、併用することが望ましい。
【００３４】
また、上縁部側を便器本体３のリム部３１上面より所定長さ立ち上げさせた状態で下縁部側をリム部３１外周面に対して着脱自在に取り付け可能な第２取付手段として両面テープ８を用いることで、両面テープ８から剥離紙８ａをはぎ取ることでリム部への取り付けが簡単に行えるようになると共に、洋式便器３の種類に応じてリム部３１上面からの補助パネル７の上縁部側の立ち上げ高さを任意に設定できるようになる。
また、ウォシュレット等の水洗機能を備えた洋式便器の場合にあっては、便器本体３のリム部と便座４との間にできる隙間が補助パネル７で塞がれた状態になるため、水洗時の水はねが便器外に飛び散ることを阻止することができる。
【００３５】
以上本実施例を説明してきたが、本発明は上述の実施例に限られるものではなく、本発明の要旨を逸脱しない範囲の設計変更等があっても、本発明に含まれる。
【００３６】
例えば、実施例１では、両略扇状パネル１、１の外側面はある程度腰のある紙又は樹脂シート１１で構成される一方、内側面は吸水性を有する紙シート（吸収性シート）１２で構成した例を示したが、素材は任意であり、紙のみ、又は樹脂シートのみで構成させてもよい。
【符号の説明】
【００３７】
１  略扇状パネル
１ａ  便座側の略直線部
１ｂ  便器本体側の略直線部
１１  樹脂シート
１２  紙シート（吸水性シート）
２  両面テープ（第１取付手段）
２ａ  剥離紙
３  便器本体
３１  リム部
４  便座
５  蓋体
６  吸水素材よりなるテープ
７  補助パネル
８  両面テープ（第２取付手段）
８ａ  剥離紙
【図１】
2012001925.tif 000003
【図２】
2012001925.tif 000004
【図３】
2012001925.tif 000005
【図４】
2012001925.tif 000006
【図５】
2012001925.tif 000007
【図６】
2012001925.tif 000008
【図７】
2012001925.tif 000009
【図８】
2012001925.tif 000010
【図９】
2012001925.tif 000011
【図１０】
2012001925.tif 000012
【図１１】
2012001925.tif 000013